(57)【要約】  【課題】  コストに大きく響かない形でカートンの密封性を高めることのできるカートン組立方法と、その方法で組み立てられたカートンを提供する。  【解決手段】  カートン１の胴部１０を起函した後、内フラップ１１、１２と第１外フラップ１３及び第２外フラップ１４の所定箇所にホットメルト接着剤塊１５、１６、１７、１８、１９、２０、２１、２２、２３を打点する。次いで内フラップ１１、１２の表面にコールドグルー接着剤塊３０、３１、３２、３３を打点する。内フラップ１１、１２の上に第１外フラップ１３を重ね、さらにその上から第２外フラップ１４を重ねると、フラップ同士がホットメルト接着剤で接合される。コールドグルー接着剤塊３０、３１、３２、３３は押しつぶされて拡がり、漏洩間隙を充填する。【選択図】      図１
2006346950.tif 000002
【特許請求の範囲】
【請求項１】
折り畳み状態のカートンから胴部を起函する工程と、胴部起函後、フラップにホットメルト接着剤を塗布する工程と、ホットメルト接着剤を塗布したフラップを貼り合わせる工程を順次遂行するカートン組立方法において、
前記胴部とフラップの間、あるいはフラップ同士の間に生じる漏洩間隙をコールドグルー接着剤で充填するためのコールドグルー接着剤塗布工程を置いたことを特徴とするカートン組立方法。
【請求項２】
フラップ貼り合わせ工程の後、前記胴部の内側よりコールドグルー接着剤を塗布して漏洩間隙を充填することを特徴とする請求項１に記載のカートン組立方法。
【請求項３】
請求項１又は２に記載のカートン組立方法により組み立てられたカートン。
【発明の詳細な説明】
【技術分野】
【０００１】
本発明は、粉体を直接入れるのに適したカートンの組立方法、及びこれにより組み立てられたカートンに関する。
【背景技術】
【０００２】
洗剤などの粉体は、カートン（紙箱）に直接入れて出荷することがある。そのような用途に用いるカートンは、内容物の粉体が漏れないように封止する必要がある。かかる目的の封止は、通常、フラップを貼り合わせる接着剤の種類、塗布箇所、塗布量などを適切に選択し設定することにより実現されている。
【０００３】
カートンの構造例を図６−図８に示す。図６はフラップに接着剤を塗布したカートンの斜視図、図７は図６のカートンの断面図、図８はフラップ貼り合わせ工程後のカートンの断面図である。
【０００４】
カートン１は、胴部１０の一方の開口部に、１対の内フラップ１１、１２と、第１外フラップ１３と、第２外フラップ１４を連設したものである。胴部１０は起函すると水平断面形状が矩形、全体としては直方体形状を呈するものであり、図にはこの状態が描かれている。内フラップ１１、１２は矩形の開口部の短辺に連設され、第１外フラップ１３と第２外フラップ１４は矩形の開口部の長辺に連設される。第１外フラップ１３と第２外フラップ１４は、開口部の中央で、第１外フラップ１３を内側、第２外フラップ１４を外側として重ねられる。
【０００５】
カートン１の胴部１０の他方の開口部には、４辺のそれぞれにフラップよりも幅の狭い補強片１０ａが形成されている。補強片１０ａは胴部１０の内側に折り込まれ、接着剤で貼り付けられる。これにより開口部の壁の厚さが倍になり、強度が向上する。この開口部には、内容物充填後、図示しない紙蓋が装着される。
【０００６】
カートン１は、図６の状態から内フラップ１１、１２の上に第１外フラップ１３を折り重ねてフラップ同士を接着し、さらにその上から第２外フラップ１４を折り重ねてフラップ同士を接着することにより、完成状態となる。接着剤としてはコールドグルー接着剤を用いてもよく、ホットメルト接着剤を用いてもよい。粉体を入れても漏れないように封止するという目的で一般的に使用されるのはコールドグルー接着剤であるが、ここではホットメルト接着剤により封止を行う構成が示されている。
【０００７】
第１外フラップ１３の内面側には、図示しないホットメルトガンにより、内フラップ１１用のホットメルト接着剤塊１５と、内フラップ１２用のホットメルト接着剤塊１６が打点される。第２外フラップ１４の内面側には、内フラップ１１及び第１外フラップ１３用のホットメルト接着剤塊１７と、内フラップ１２及び第１外フラップ１３用のホットメルト接着剤塊１８と、第１外フラップ１３用のホットメルト接着剤塊１９が打点される。内フラップ１１の表面には、第１外フラップ１３用のホットメルト接着剤塊２０と、第２外フラップ１４用のホットメルト接着剤塊２１が打点される。内フラップ１２の表面には、第１外フラップ１３用のホットメルト接着剤塊２２と、第２外フラップ１４用のホットメルト接着剤塊２３が打点される。
【０００８】
漏洩防止を目的としないのであれば、ホットメルト接着剤は１枚のフラップにつき２、３箇所ずつ打点すれば済む。しかしながらここでは、内容物の粉体が漏れないようにするという目的が達成されなければならない。従ってホットメルト接着剤塊１５、１６、１７、１８、１９は、押しつぶされて拡がったときに連続した接着剤の帯が形成されるよう、細かいピッチで１列に打点される。
【０００９】
ホットメルト接着剤塊１５、１６、１７、１８は矩形の開口部の短辺に平行する形で列をなし、ホットメルト接着剤塊１９は矩形の開口部の長辺に平行する形で列をなしている。ホットメルト接着剤塊２０、２１、２２、２３は、押しつぶされて拡がったときに胴部１０と第１外フラップ１３の折り曲げ部の隙間、及び胴部１０と第２外フラップ１４の折り曲げ部の隙間を埋めることになるよう、塗布量が多めに設定される。すなわち長く引き延ばされた形で塗布されている。
【００１０】
上記のように所定箇所に所定量ずつホットメルト接着剤を塗布した後、図８のように第１外フラップ１３を折り曲げて内フラップ１１、１２に押し付け、さらにその上から第２外フラップ１４を折り曲げて内フラップ１１、１２及び第１外フラップ１３に押し付ければ、フラップ同士がホットメルト接着剤で貼り合わせられ、組立完了となる。
【００１１】
特許文献１にもシール部からの内容物の漏出を防止したカートンが記載されている。ここでは接着剤として発泡ホットメルト接着剤が用いられている。
【特許文献１】特開平７−１０８５６０号公報（第５頁−第６頁、図１−図５）
【発明の開示】
【発明が解決しようとする課題】
【００１２】
ホットメルト接着剤は貼り合わせ後数秒で硬化するので、カートン組立の生産性を上げることができるが、高価なのが欠点である。そこで、ホットメルト接着剤を連続的に塗布するのでなく、点を連ねた形に塗布して使用量の節約を図っている。しかしながらこの方式だと充填すべき隙間を充填しきれないことがある。隙間が埋まっていなければ粉体が外に漏れ、欠陥商品ということになってしまう。
【００１３】
ホットメルト接着剤の塗布量を多くすれば隙間は埋まり、粉体の漏れはなくなるが、高価なホットメルト接着剤を多量に使用することになり、カートン製造コストが上がる。この種カートンを用いる日用品業界はコスト削減にしのぎを削っており、コスト増はいかに僅かであろうと排除したいところである。またホットメルト接着剤を多量に塗布するとフラップを貼り合わせたときにカートンの外側にはみ出し、見た目を損なうことがある。
【００１４】
安価なコールドグルー接着剤を用いることとすれば、点の連なりでなく連続的に塗布することができ、また隙間を充填するのに十分な量を塗布することができ、粉体の漏れをほぼ確実に防止することができる。しかしながらホットメルト接着剤が数秒で硬化するのに対し、コールドグルー接着剤は硬化までに二、三十分かかり、生産性が悪い。またコールドグルー接着剤の硬化を待つ間カートンの形を維持しておかねばならず、これを治具で行おうとすれば、それだけの数の治具や、硬化待ち期間中の治具とカートンを置くスペースが必要になり、この面で生産コストがかさむ。治具を用いず、カートン組立装置の中でコールドグルー接着剤を硬化させる構成とすることもできるが、そのようにすると装置全長が長くなるので、結局コストがかかる。
【００１５】
本発明は上記の点に鑑みなされたものであり、生産性を落とすことなく、またコストに大きく響かない形でカートンの密封性を高めることのできるカートン組立方法と、その方法で組み立てられたカートンを提供することを目的とする。
【課題を解決するための手段】
【００１６】
（１）上記目的を達成するため本発明は、折り畳み状態のカートンから胴部を起函する工程と、胴部起函後、フラップにホットメルト接着剤を塗布する工程と、ホットメルト接着剤を塗布したフラップを貼り合わせる工程を順次遂行するカートン組立方法において、
前記胴部とフラップの間、あるいはフラップ同士の間に生じる漏洩間隙をコールドグルー接着剤で充填するためのコールドグルー接着剤塗布工程を置いたことを特徴としている。
【００１７】
この構成によると、ホットメルト接着剤にフラップ貼り合わせの主役を担わせるからカートン組立の生産性が落ちることはない。その上で、漏洩間隙の充填の役割をコールドグルー接着剤に担わせるので、内容物の漏洩を確実に防ぐことができる。
【００１８】
コールドグルー接着剤もカートン製造工程で常用される材料であり、それを付加する工程を追加したとしても設備投資金額は僅かで済む。またコールドグルー接着剤はそもそも安価であるうえ、間隙充填のため補助的に用いるだけなので少量の使用で事足り、コストアップは、あったとしても微増の範囲にとどまる。
【００１９】
さらに、通常の場合、コールドグルー接着剤は硬化までに２０分以上かかり、その間貼り合わせ状態を治具で保持しておかねばらないが、本発明の構成ではホットメルト接着剤がすぐに硬化して貼り合わせ状態が維持されるので、治具を用意したり、装置全長を長くしたりすることが不要というメリットがある。
【００２０】
（２）また本発明は、上記構成のカートン組立方法において、フラップ貼り合わせ工程の後、前記胴部の内側よりコールドグルー接着剤を塗布して漏洩間隙を充填することを特徴としている。
【００２１】
この構成によると、従来通りの工程でフラップを貼り合わせ、その後じっくりと漏洩間隙を塞ぐことができる。
【００２２】
（３）また本発明は、上記の方法で組み立てられたカートンであることを特徴としている。
【００２３】
この構成によると、製造コストの大幅増加を伴うことなく内容物の漏洩を防止したカートンを得ることができる。
【発明の効果】
【００２４】
本発明によると、ホットメルト接着剤とコールドグルー接着剤のそれぞれの特質を生かし、生産性を落とすことなく、また大きなコストアップを招くことなく、内容物の漏洩のないカートンを得ることができる。
【発明を実施するための最良の形態】
【００２５】
以下、本発明の第１実施形態を図１−図４に基づき説明する。図１はフラップに接着剤を塗布したカートンの斜視図、図２は図１のカートンの断面図、図３はフラップ貼り合わせ工程後のカートンの断面図、図４はカートン組立工程のフローチャートである。なお第１実施形態のカートンは図６−図８の従来のカートンと構造的に共通する点が多い。そこで、従来構造と共通する構成要素には図６−図８で用いたのと同じ符号を付し、説明は省略するものとする。
【００２６】
カートン１の組立は図４のフローに則り行われる。すなわちステップＳ１０１でカートン１の胴部１０が起函され、ステップＳ１０２で各フラップにホットメルト接着剤が塗布される。そしてステップＳ１０３でフラップの所定箇所にコールドグルー接着剤が塗布されてからステップＳ１０４でフラップが貼り合わせられる。なおホットメルト接着剤を塗布するステップとコールドグルー接着剤を塗布するステップの順序を入れ替えてもよい。
【００２７】
コールドグルー接着剤は、図示しないコールドグルーガンにより、内フラップ１１、１２の表面に、ホットメルト接着剤から外れた場所に打点あるいは滴下される。内フラップ１１においては、第１外フラップ１３に隣接するエッジ部と、第２外フラップ１４に隣接するエッジ部に、ホットメルト接着剤塊２０、２１と並ぶ形でコールドグルー接着剤塊３０、３１が打点あるいは滴下される。内フラップ１２においては、第１外フラップ１３に隣接するエッジ部と、第２外フラップ１４に隣接するエッジ部に、ホットメルト接着剤塊２２、２３と並ぶ形でコールドグルー接着剤塊３２、３３が打点あるいは滴下される。
【００２８】
上記のように所定箇所に所定量ずつホットメルト接着剤とコールドグルー接着剤を塗布した後、図３のように第１外フラップ１３を折り曲げて内フラップ１１、１２に押し付け、さらにその上から第２外フラップ１４を折り曲げて内フラップ１１、１２及び第１外フラップ１３に押し付ければ、フラップ同士がホットメルト接着剤で接合されることになる。この時コールドグルー接着剤塊３０、３１、３２、３３は押しつぶされて拡がり、内フラップ１１、１２と第１外フラップ１３とのコーナー部に生じる漏洩間隙、及び内フラップ１１、１２と第２外フラップ１４とのコーナー部に生じる漏洩間隙を充填する。
【００２９】
コールドグルー接着剤により、漏洩間隙は確実に充填され、内容物の漏洩が防がれる。コールドグルー接着剤は安価であるうえ、間隙充填のため補助的に少量用いるだけでよいので、殆どコスト増にはつながらない。さらに、ホットメルト接着剤はフラップ貼り合わせ後すぐに硬化してカートン１の形状を固定するので、コールドグルー接着剤が硬化するのを待つ間、カートン１の形状を治具で維持する必要がない。
【００３０】
なお、コールドグルー接着剤の塗布箇所は第１外フラップ１３と第２外フラップ１４に隣接する内フラップ１１、１２のエッジ部に限定される訳ではない。その他にも必要な箇所があればそこに塗布する。
【００３１】
図５に本発明の第２実施形態を示す。図５は図３はフラップ貼り合わせ工程後のカートンの断面図である。
【００３２】
第２実施形態では、内フラップ１１、１２の表面にはコールドグルー接着剤を塗布しない。ホットメルト接着剤のみでフラップの貼り合わせを行った後、図５のようにカートン１を上下逆さまにし、漏洩間隙となる箇所に胴部１０の内側からコールドグルー接着剤塊３４を打点あるいは滴下する。コールドグルー接着剤の塗布箇所は内フラップ１１、１２と胴部１０との間のコーナー部、及び必要があれば内フラップ１１、１２と第１外フラップ１３及び第２外フラップ１４との境界部である。
【００３３】
上記のように胴部１０の内側よりコールドグルー接着剤を塗布して漏洩間隙を充填することにより、内容物の漏洩のないカートン１を得ることができる。フラップの貼り合わせは既にホットメルト接着剤によりなされているので、時間を気に掛けることなく、またカートン１の形状維持に気を遣うこともなく、コールドグルー接着剤で漏洩間隙を塞ぐことができる。
【００３４】
内フラップ１１、１２の表面にコールドグルー接着剤を塗布しておき、その上で、胴部１０の内側からコールドグルー接着剤塊３４を打点あるいは滴下するようにしてもよい。
このようにすれば、コールドグルー接着剤による封止箇所が二重になり、内容物の漏洩防止が一層確実になる。
【００３５】
以上本発明の実施形態につき説明したが、発明の主旨を逸脱しない範囲でさらに種々の変更を加えて実施することができる。
【産業上の利用可能性】
【００３６】
本発明は、カートンの内容物漏洩防止対策として広く利用可能である。
【図面の簡単な説明】
【００３７】
【図１】フラップに接着剤を塗布したカートンの斜視図
【図２】図１のカートンの断面図
【図３】フラップ貼り合わせ工程後のカートンの断面図
【図４】カートン組立工程のフローチャート
【図５】第２実施形態に係るカートンの断面図
【図６】カートンの構造例を示す斜視図にして、図１に対応するもの
【図７】カートンの構造例を示す断面図にして、図２に対応するもの
【図８】カートンの構造例を示す断面図にして、図３に対応するもの
【符号の説明】
【００３８】
１    カートン
１０  胴部
１１、１２  内フラップ
１３  第１外フラップ
１４  第２外フラップ
１５−２３  ホットメルト接着剤塊
３０−３４  コールドグルー接着剤塊
【図１】
2006346950.tif 000003
【図２】
2006346950.tif 000004
【図３】
2006346950.tif 000005
【図４】
2006346950.tif 000006
【図５】
2006346950.tif 000007
【図６】
2006346950.tif 000008
【図７】
2006346950.tif 000009
【図８】
2006346950.tif 000010